【手続補正書】
【提出日】平成20年5月23日(2008.5.23)
【手続補正１】
【補正対象書類名】明細書
【補正対象項目名】特許請求の範囲
【補正方法】変更
【補正の内容】
【特許請求の範囲】
【請求項１】  ３次元画像を生成するための装置であって、
ある範囲の観賞位置から見ることが可能な３次元画像（３）を生成することが可能なディスプレイ手段（１）と、
少なくとも１人の観察者の観賞位置を決定するための監視手段（９）と、
前記監視手段（９）に応答して前記ディスプレイ手段（１）を制御する制御手段（８）とを具備し、
前記ディスプレイ手段（１）が、前記制御手段（８）によって制御される複数のアドレス可能な小区域を含み、それにより、少なくとも１つの決定された観賞位置について完全な画像を生成することが優先されることを特徴とする装置。
【請求項２】  ２人以上の観察者の観賞位置が決定され、決定された観賞位置のそれぞれについて完全な画像を生成することが優先される請求項１に記載の装置。
【請求項３】  前記制御手段（８）が、前記ディスプレイ手段（１）のアドレス可能な小区域を含み少なくとも１つの観賞位置について形成される画像に貢献する少なくとも１つの貢献領域を識別し、前記少なくとも１つの貢献領域について前記ディスプレイ手段のピクセル値を算出することが優先される請求項１または２に記載の装置。
【請求項４】  前記制御手段（８）が、少なくとも１つの前記貢献領域の中央を実質的に含む前記ディスプレイ手段（１）の前記小区域のそれぞれについて、ピクセル値を算出することを優先する請求項３に記載の装置。
【請求項５】  前記少なくとも１人の観察者の前記ディスプレイ手段（１）内における凝視位置（７）を決定するための手段をさらに含み、前記制御手段（８）が、前記少なくとも１人の観察者の凝視位置で実質的に画像に貢献する前記ディスプレイ手段（１）の前記小区域のそれぞれについて、ピクセル値を算出することを優先する請求項３に記載の装置。
【請求項６】  前記制御手段が、変化している画像の一部に実質的に対応する前記ディスプレイ手段（１）の前記小区域のそれぞれについて、ピクセル値を算出することを優先する請求項１から５のいずれかに記載の装置。
【請求項７】  前記制御手段（８）が、少なくとも１つの観賞位置について形成される画像に貢献するように前記ディスプレイ手段（１）の小区域が光を導き入れなければならない角度範囲を決定し、前記角度範囲内に光を実質的に導き入れるように前記ディスプレイ手段のピクセル値を算出することが優先される請求項１から６のいずれかに記載の装置。
【請求項８】  前記制御手段（８）が、前記少なくとも１人の観察者について本装置の有効射出瞳が最適化されるように前記ディスプレイ手段（１）を制御する請求項１から７のいずれかに記載の装置。
【請求項９】  完全な画像を見ることが可能な有効射出瞳が、画像が実質的に変化していない間に拡大される請求項１から８のいずれかに記載の装置。
【請求項１０】  前記ディスプレイ手段（１）が空間光変調器（ＳＬＭ）手段を含む請求項１から９のいずれかに記載の装置。
【請求項１１】  前記制御手段（８）が、前記空間光変調器手段の前記小区域内で必要とされる変調を算出する請求項１０に記載の装置。
【請求項１２】  前記監視手段（９）が、前記少なくとも１人の観察者の目に関する情報を収集し、前記情報が前記制御手段（８）によって使用され、本装置の有効射出瞳を前記少なくとも１人の観察者の目に合致するように適応させる請求項１から１１のいずれかに記載の装置。
【請求項１３】  前記ディスプレイ手段（１）の前記アドレス可能な小区域が計算機合成ホログラムを表示する請求項１から１２のいずれかに記載の装置。
【請求項１４】  再構成可能な３次元画像を表示するのに必要な時間を最小限に抑える方法であって、
ある範囲の観賞位置から見ることが可能な３次元画像（３）を生成することが可能な、複数のアドレス可能な小区域を含むディスプレイ手段（１）と、
少なくとも１人の観察者の観賞位置を決定するための監視手段（９）と、
前記監視手段（９）に応答して前記ディスプレイ手段（１）を制御する制御手段（８）とを使用し、
前記少なくとも１人の観察者の観賞位置を決定するステップと、前記ディスプレイ手段（１）内の前記アドレス可能な小区域の制御を優先順位付けし、少なくとも１つの決定された観賞位置について完全な画像を生成するステップとを特徴とする方法。
【請求項１５】  ２人以上の観察者の観賞位置が決定され、前記ディスプレイ手段（１）内の前記アドレス可能な小区域の制御を優先順位付けし、２つ以上の決定された観賞位置について完全な画像を生成する請求項１４に記載の方法。
【請求項１６】  前記ディスプレイ手段（１）のアドレス可能な小区域を含み少なくとも１つの観賞位置について形成される画像に貢献する少なくとも１つの貢献領域を識別するステップと、少なくとも１つの前記貢献領域を実質的に含む前記ディスプレイ手段内の前記小区域について、ピクセル値を算出することを優先するステップとをさらに含む請求項１４または１５に記載の方法。
【請求項１７】  少なくとも１つの前記貢献領域の中央を実質的に含む前記ディスプレイ手段（１）の前記小区域のそれぞれについて、ピクセル値を算出することが優先される請求項１６に記載の方法。
【請求項１８】  前記少なくとも１人の観察者の前記表示手段（１）内における凝視位置（７）を決定するステップと、前記少なくとも１人の観察者の凝視位置で実質的に画像に貢献する前記ディスプレイ手段（１）の前記小区域のそれぞれについて、ピクセル値を算出することを優先するステップとをさらに含む請求項１６に記載の方法。
【請求項１９】  変化している画像の一部に実質的に対応する前記ディスプレイ手段（１）の前記小区域のそれぞれについて、ピクセル値を算出することが優先される請求項１４から１８のいずれかに記載の方法。
【請求項２０】  少なくとも１つの観賞位置について形成される画像に実質的に貢献するように前記ディスプレイ手段（１）の前記小区域が光を導き入れなければならない角度範囲を決定するステップと、実質的に前記角度範囲内に光を導き入れることが優先されるように前記ディスプレイ手段のピクセル値を算出するステップとをさらに含む請求項１４から１９のいずれかに記載の方法。
【請求項２１】  本装置の有効射出瞳が前記少なくとも１人の観賞者について最適化されるように前記ディスプレイ手段（１）を制御するステップをさらに含む請求項１４から２０のいずれかに記載の方法。
【請求項２２】  画像が実質的に変化していない間に、完全な画像を見ることが可能な有効射出瞳を拡大するステップをさらに含む請求項１４から２１のいずれかに記載の方法。
【請求項２３】  前記ディスプレイ手段（１）が空間光変調器（ＳＬＭ）手段を含む請求項１４から２２のいずれかに記載の方法。
【請求項２４】  前記制御手段（８）が、前記空間光変調器手段の前記小区域内で必要とされる変調を算出する請求項２３に記載の方法。
【請求項２５】  前記監視手段（９）が、前記少なくとも１人の観察者の目に関する情報を収集し、前記情報が前記制御手段（８）によって使用され、本装置の有効射出瞳を前記少なくとも１人の観察者の目に合致するように適応させる請求項１４から２４のいずれかに記載の方法。
【請求項２６】  前記ディスプレイ手段（１）の前記アドレス可能な小区域が計算機合成ホログラムを表示する請求項１４から２５のいずれかに記載の方法。
【請求項２７】  前記ディスプレイ手段（１）が、ディスプレイの複数の小区域内のピクセルに割り当てられた値によって決定されたサイズの有効射出瞳を有し、前記制御手段（８）が、観察者の決定された観賞位置に基づいて有効射出瞳のサイズ、形状および位置のうち少なくとも１つに適合するように、小区域内のピクセル値を計算することによって観察者に計算の優先権を与え、それにより、決定された観賞位置について完全な画像を生成することが優先される、請求項１に記載の装置。
【請求項２８】  前記ディスプレイ手段（１）が、ディスプレイの複数の小区域内のピクセルに割り当てられた値によって決定されたサイズの有効射出瞳を有し、前記完全な画像を生成するステップが、有効射出瞳のサイズ、形状および位置のうち少なくとも１つに適合するように、前記ディスプレイ手段（１）内の前記アドレス可能な小区域の制御を優先順位付けすることを含む、請求項１４に記載の方法。